(57)【要約】【課題】奥行きが長い外装カバー９であっても、閉じるときの外装カバー９のロック部１３やベースフレーム１９の破損を防止する。【解決手段】外装カバー９を閉じてロック部１３によりロック可能なカバー構造であって、前記外装カバー９は、ロック部１３より開閉支点側にガイドリブ１５を備え、前記ベースフレーム１９は、前記ガイドリブ１５が嵌る受け部１６を備え、前記外装カバー９を閉じるときに前記ガイドリブ１５と前記受け部１６により前記外装カバー９を所定の位置にガイドするようにした。【選択図】図１
2011177897.tif 000002
【特許請求の範囲】
【請求項１】
外装カバーを閉じてロック部によりロック可能なカバー構造であって、
前記外装カバーは、ロック部より開閉支点側にガイドリブを備え、
前記ベースフレームは、前記ガイドリブが嵌る受け部を備え、
前記外装カバーを閉じるときに前記ガイドリブと前記受け部により前記外装カバーを所定の位置にガイドするようにしたことを特徴とする外装カバー構造。
【請求項２】
前記受け部は、外装カバー端部を、外装カバーを開く方向に持ち上げたときに、前記ガイドリブの端部が前記受け部に当接するようにしたことを特徴とする外装カバー構造。
【請求項３】
外装カバーを閉じてロック部によりロック可能な複数の開閉カバーを有する外装カバー構造であって、
外装カバーの開閉により干渉する側の端部に斜めにカットしたガイド部を設けるようにしたことを特徴とする外装カバー構造。
【請求項４】
請求項１または請求項３記載の外装カバー構造を備えたことを特徴とするロール状媒体取扱装置。
【発明の詳細な説明】
【技術分野】
【０００１】
本発明は、ロール状媒体を収納しチケットなどの発行を行うロール状媒体取扱装置の外装カバー構造に関するものである。
【背景技術】
【０００２】
一般に、ロール状媒体を収納しチケットなどの発行を行うロール状媒体取扱装置の外装カバーは、特に左右方向の省スペース化を考慮し、図９に示したようなベース部２２に対し上下方向の矢印Ａ方向にカバー２３を開閉できる構成となっている（例えば、特許文献１参照。）。
【先行技術文献】
【特許文献】
【０００３】
【特許文献１】特開２００５−５９２３３号公報
【発明の概要】
【発明が解決しようとする課題】
【０００４】
しかしながら、上記従来のロール状媒体取扱装置の外装カバー２３では、大口径のロール媒体を収容する場合や保守の操作性を向上するために奥行きを長くすると、カバーの左右方向（矢印Ｂ方向）のガタが大きくなり、閉じるときにカバーのロック部がベース部２２のロック部とは異なる場所に衝突してベース部２２を破損させたり、複数の開閉カバーを有する装置では、互いにカバーが干渉しあってカバーを閉じることができなかったりする問題があった。
【０００５】
また、ベース部２２とカバー２３間にガタがあると、カバー２３の端部とベース部２２との間に隙間が発生し、ロックを解除することなくこの隙間に手を入れて持ち上げてカバー２３を無理やり外し、ロック部が破損してしまうという問題もあった。
【課題を解決するための手段】
【０００６】
本発明は、前述の課題を解決するため次の構成を採用する。すなわち、外装カバーを閉じてロック部によりロック可能なカバー構造であって、前記外装カバーは前記ロック部より開閉支点側にガイドリブを備え、前記ベースフレームは、前記ガイドリブが嵌る受け部を備え、前記外装カバーを閉じるときに前記ガイドリブと前記受け部により前記外装カバーを所定の位置にガイドするようにした。
【発明の効果】
【０００７】
本発明の外装カバー構造およびロール状媒体取扱装置によれば、外装カバーを閉じてロック部によりロック可能なカバー構造であって、前記外装カバーは前記ロック部より開閉支点側にガイドリブを備え、前記ベースフレームは、前記ガイドリブが嵌る受け部を備え、前記外装カバーを閉じるときに前記ガイドリブと前記受け部により前記外装カバーを所定の位置にガイドするようにしたので、奥行きが長いカバーであっても、閉じるときにカバーのロック部がベースフレームのロック部の位置とずれた場所に衝突することがなく、ロック部の破損を防止することができる。また、カバー端部を無理やり持ち上げた場合でも、ロック部への外力を少なくし破損しないようにすることができる。
【図面の簡単な説明】
【０００８】
【図１】実施例１のロール状媒体取扱装置の外観斜視図である。
【図２】実施例１の外装カバーのガイドリブの構成図である。
【図３】実施例１の外装カバーのガイド部の構成図である。
【図４】実施例１のロール状媒体取扱装置の外装カバーの動作説明図である。
【図５】実施例１のロール状媒体取扱装置の外装カバーの動作説明図である。
【図６】実施例１の外装カバーのガイド部の動作説明図である。
【図７】実施例１の外装カバーのガイド部の動作説明図である。
【図８】実施例１の外装カバーのガイドリブの動作説明図である。
【図９】従来のロール状媒体取扱装置の外装カバーの構成および動作説明図である。
【発明を実施するための形態】
【０００９】
以下、本発明に係わる実施の形態例を、図面を用いて説明する。なお、図面に共通する要素には同一の符号を付す。
【実施例１】
【００１０】
（構成）
図１は、実施例１のロール状媒体取扱装置の概観斜視図である。同図に示したように実施例１のロール状媒体取扱装置は、同図右側にチケットプリンタ部としてチケットプリンタ４およびチケット用紙をセットするチケット用紙セット部８が設けられ、同図左側にジャーナルプリンタ部としてジャーナルプリンタ１０およびジャーナル用紙をセットするジャーナル用紙セット部１１が設けられた構成となっている。
【００１１】
そして、チケットプリンタ部およびジャーナルプリンタ部には、それぞれチケットカバー９、ジャーナルカバー１２が設けられており、同図のように開閉できる構造となっている。
【００１２】
そして、ロール状媒体取扱装置の正面には、操作パネルとしてのフロントパネル５が設けられており、このフロントパネル５には、後述のカバーロックを解除するチケットカバーオープンボタン６、ジャーナルカバーオープンボタン７が実装されている。
【００１３】
そして、チケットプリンタ４のフロントパネル５側には、後述の図５のようにカバーロック１３ａ、１３ｂやカバーの開閉を検知するカバー開閉検知スイッチ１４が設けられている。
【００１４】
再び図１に戻って、チケットカバー９の内側には、チケットカバー９を閉じたときに、前記カバーロック１３ａ、１３ｂにロックされるカバーロック１３ｃ、１３ｄが設けられている。また、右上Ｙ部で示したように、チケットカバー９を閉じるときのガイドとして機能するガイドリブ１５ａ、１５ｂが設けられている。一方、ベースフレーム１９には、図２に示したようにチケットカバー９を閉じたときにガイドリブ１５ａ、１５ｂがそれぞれ嵌る、受け部１６ａ、１６ｂ設けられている。
【００１５】
なお、ジャーナルカバー１２の内側も、簡略化のために図示していないが、同様にカバーを閉じるときのガイドとして機能するガイドリブが設けられており、一方、ベースフレーム１９には、当該ガイドリブが嵌る受け部が設けられている。
【００１６】
また、図３に示したように、チケットカバー９の左端、ジャーナルカバー１２の右端には、端部を斜めにカットし開閉時のガイドとして機能するチケットカバーガイド部１７、ジャーナルカバーガイド部１８が設けられている。
【００１７】
（動作）
以上の構成により、実施例１のロール状媒体取扱装置の外装カバー構造は以下のように動作する。まず、チケット用紙３を交換する動作について図４および図５を用いて説明する。
【００１８】
チケット用紙３を交換する場合、フロントパネル５のチケットカバーオープンボタン６を矢印Ｐのように押すと、ベースフレーム１９のカバーロック１３ａ、１３ｂとチケットカバー９の内側のカバーロック１３ｃ、１３ｄのロックが解除され、チケットカバー９が矢印Ｕのように少し開き、その後、手動でチケットカバー９を全開する。
【００１９】
このとき、図６左側のように、すでにジャーナルカバー１２が少し開いていた場合、矢印Ｕのようにチケットカバー９を開くと、チケットカバー９の左右方向のガタにより同図破線部ａ部のようにチケットカバー９の左端がジャーナルカバー１２の右端に当接する場合があるが、チケットカバーガイド部１７およびジャーナルカバーガイド部１８を設けてあるので、矢印Ｖのようにチケットカバー９がガイドされスムーズに開くことができる。
【００２０】
そして、チケット用紙セット部８のチケット用紙３を交換し、チケットカバー９を閉める。このとき、チケットカバー９の内側のガイドリブ１５ａ、１５ｂが、ベースフレーム１９の受け部１６ａ、１６ｂに嵌り、チケットカバー９が所定の位置にガイドされながら閉まる。
【００２１】
このため、チケットカバー９のカバーロック１３ｃ、１３ｄがベースフレーム１９のカバーロック１３ａ、１３ｂ位置とは違う場所に衝突したり、カバーロック１３ａ、１３ｂがチケットカバー９の内側に衝突したりすることがなく、これらを破損することがない。
【００２２】
また、このとき、図７の矢印Ｄのようにチケットカバー９を閉じると、チケットカバー９の左右方向のガタにより同図は破線部ｂ部のようにチケットカバー９の左端がジャーナルカバー１２の右端に当接する場合があるが、チケットカバーガイド部１７およびジャーナルカバーガイド部１８を設けてあるので、矢印Ｅのようにチケットカバー９がガイドされ、スムーズに閉じることができる。
【００２３】
そして、最後に、チケットカバー９の表面を押すと、ベースフレーム１９側のカバーロック１３ａ、１３ｂとチケットカバー９の内側のカバーロック１３ｃ、１３ｄが嵌合しロックされる。
【００２４】
ところで、フロントパネル５のチケットカバーオープンボタン６を押してロックを解除せずに、図８に示したように、無理やり、チケットカバー９の右端突出部２０を矢印Ｕ方向に持ち上げる場合があるが、この場合でも、ガイドリブ１５ａが矢印Ｘ方向に作用し受け部１６ａに当接しそれ以上移動しないようにすることができるので、チケットカバー９を開けることを抑制できるとともに、カバーロック１３ａ、１３ｂやカバーロック１３ｃ、１３ｄにかかる外力も少なくすることができ破損を防止することができる。
【００２５】
なお、ジャーナル用紙の交換動作は、チケット用紙３の交換動作と同様であるので、簡略化のためにその詳細な説明は省略する。
【００２６】
（実施例１の効果）
以上のように実施例１の外装カバー構造およびロール状媒体取扱装置によれば、外装カバーを閉じてロック部によりロック可能なカバー構造であって、前記外装カバーは前記ロック部より開閉支点側にガイドリブを備え、前記ベースフレームは、前記ガイドリブが嵌る受け部を備え、前記外装カバーを閉じるときに前記ガイドリブと前記受け部により前記外装カバーを所定の位置にガイドするようにしたので、奥行きが長い外装カバーであっても、閉じるときに外装カバーのロック部がベースフレームのロック部の位置とずれた場所に衝突することがなく、ロック部の破損を防止することができる。また、外装カバー端部を無理やり持ち上げた場合でも、ロック部への外力を少なくし破損しないようにすることができる。
【００２７】
また、複数の開閉可能な外装カバーを有する外装カバー構造およびロール状媒体取扱装置において、外装カバーの開閉により干渉する側の端部を斜めにカットしたガイド部を設けたので、互いに外装カバーが干渉することがなく、外装カバーの開閉を容易にすることができる。
【産業上の利用可能性】
【００２８】
以上述べたように、本発明は、開閉可能な外装カバーを有しロール状媒体を取扱うロール状媒体取扱装置に広く用いることができる。
【符号の説明】
【００２９】
１    ロール状媒体取扱装置
４    チケットプリンタ
５    フロントパネル
６    チケットカバーオープンボタン
７    ジャーナルカバーオープンボタン
８    チケット用紙セット部
９    チケットカバー
１０  ジャーナルプリンタ
１１  ジャーナル用紙セット部
１２  ジャーナルカバー
１３  カバーロック
１５  ガイドリブ
１６  受け部
１７  チケットカバーガイド部
１８  ジャーナルカバーガイド部
１９  ベースフレーム
【図１】
2011177897.tif 000003
【図２】
2011177897.tif 000004
【図３】
2011177897.tif 000005
【図４】
2011177897.tif 000006
【図５】
2011177897.tif 000007
【図６】
2011177897.tif 000008
【図７】
2011177897.tif 000009
【図８】
2011177897.tif 000010
【図９】
2011177897.tif 000011